(57)【要約】      （修正有）【課題】芳香成分の拡散を長期間に亘って均一化できるとともにデザイン性、見た目の楽しさを向上させることができ、また、人体、物又は動物に対して芳香成分、虫除け成分の拡散を行えるとともに、デザイン性、見た目の楽しさを向上させることができる有用成分拡散具を提供する。【解決手段】空気の吹出し口に固定するための着脱自在のクリップ２ａと、クリップ２ａに付設された風車部４とを有し、風車部４が有効成分として芳香成分又は虫除け成分を練り込んだ合成樹脂で構成してある。【選択図】図１
0003183685.tif 000002
【実用新案登録請求の範囲】
【請求項１】
空気の吹出し口に固定するための着脱自在の取付け手段と、前記取付け手段に立設された軸部と、前記軸部に回転自在に取り付けられた風車部とを有し、
前記風車部が有効成分として芳香成分を練り込んだ合成樹脂で構成してあることを特徴とする有用成分拡散具。
【請求項２】
請求項１に記載の有用成分拡散具において、前記取付け手段を自動車エアコンの吹出し口に取付け自在な取付け手段として構成することで自動車エアコンの芳香成分拡散具として機能させた有用成分拡散具。
【請求項３】
請求項１〜請求項２に記載の有用成分拡散具において、前記風車部を第１花びら部に構成するとともに、前記取付け手段側から立設された前記軸部の先端に花芯部を取付け、前記花芯部は前記第１花びら部の脱落を防止する止め具として機能するとともに、
前記花芯部は、前記第１花びら部とは異なる芳香成分を練り込んだ合成樹脂で構成してある有用成分拡散具。
【請求項４】
請求項３に記載の有用成分拡散具において、前記第１花びら部と前記花芯部に加えて第２花びら部を備え、前記第２花びら部の合成樹脂には、前記第１花びら部と前記花芯部のそれぞれの合成樹脂に練り込まれた芳香成分とは異なる芳香成分を含ませてある有用成分拡散具。
【請求項５】
請求項３に記載の有用成分拡散具において、前記第１花びら部と前記花芯部に加えて第２花びら部を備え、前記花芯部に前記第２花びら部を固定し、前記第１花びら部と前記第２花びら部の間で前記第１花びら部が回転するように構成した有用成分拡散具。
【請求項６】
対象物に取付けるための着脱自在の取付け手段と、前記取付け手段に付設されて前記対象物の状態又は動きに応じて動く可動部とを有し、
前記可動部は前記取付け手段から立設された軸部回りにおいて少なくとも回動できるように構成され、
前記可動部は有効成分として芳香成分を練り込んだ合成樹脂と虫除け成分を練り込んだ合成樹脂の２つの合成樹脂の少なくとも一方で構成してあることを特徴とする有用成分拡散具。
【請求項７】
請求項６に記載の有用成分拡散具において、前記対象物を、衣服、帽子、バッグなどの人体関係物と首輪などの動物関係物のどちらか一方の関係物で構成した有用成分拡散具。
【請求項８】
請求項６に記載の有用成分拡散具において、前記軸部に固定される固定部を備え、前記可動部を芳香成分、虫除け成分の一方を練り込んだ合成樹脂で構成し、前記固定部を芳香成分、虫除け成分の他方を練り込んだ合成樹脂で構成した有用成分拡散具。
【考案の詳細な説明】
【技術分野】
【０００１】
本考案は芳香成分などの有用成分を拡散する技術に関する。
【背景技術】
【０００２】
従来、自動車室内のエアコン出口に芳香剤を収容した部材を取り付けて、芳香成分を車室内に拡散させる芳香装置が公知である。
例えば、特許文献１にはそれぞれに芳香剤を袋詰めした独立のパッケージを複数連続させ、それぞれのパッケージに収容された芳香剤は互いに異香種であることを特徴とする自動車用芳香剤が開示されている。
【先行技術文献】
【特許文献】
【０００３】
【特許文献１】特開２０００−６２５１１
【考案の開示】
【考案が解決しようとする課題】
【０００４】
しかし、上記のような従来技術では下記の課題があった。
（１）芳香成分の拡散性を長期間に亘って均一にできない
上記従来技術であると、自動車エアコンの吹出し口から出る送風に当たる芳香剤の部分が特定箇所に限定される課題がある。これにより、取付けの初期においては強い芳香を車内に拡散しても、時間の経過とともに芳香の拡散が急激に低下する可能性がある。
（２）車室に設ける芳香具としてデザインが劣り、商品性に乏しい
上記従来技術は、カードサイズ程度の大きさで、厚手の含浸紙等の生地に芳香剤をしみ込ませてある構成であるから、自動車エアコンの吹き出し口に取り付けた場合に明らかにデザイン性が劣る。また、商品として考えた場合、無粋な構成であるから消費者に訴えるものがなく、商品性に優れるとは思えない。
【０００５】
（３）多種多様な消費者の好みに対応できない
上記従来技術では、厚手の含浸紙等の生地に芳香剤をしみ込ませてある部材を基本としているので、個々の消費者の嗜好性を満足する構成とすることは難しいと予想できる。
また、上記従来技術とは別に、自動車エアコンの吹き出し口に液体の芳香成分を蒸発させる液体収容ケースを取り付ける構成の芳香成分拡散具も提案されているが、液体収容ケースを有する構成なのでデザイン性を高めることが難しいとともに、見た目の楽しさという点においても十分ではなかった。
本考案は上記課題に鑑みてなされたものであり、本考案の目的は上記課題を解決できる有用成分拡散具を提供することにある。
【０００６】
具体的な目的の一例を示すと、以下の通りである。
（ａ）芳香成分の拡散を長期間に亘って均一化できるとともにデザイン性、見た目の楽しさを向上させることができる車用の芳香成分拡散具を提供する。
（ｂ）人体、物又は動物に対して芳香成分、虫除け成分の拡散を行えるとともに、デザイン性、見た目の楽しさを向上させることができる有用成分拡散具を提供する。
なお、上記に記載した以外の考案の課題、その解決手段及びその効果は、後述する明細書内の記載において詳しく説明する。
【課題を解決するための手段】
【０００７】
本考案は多面的に表現できるが、例えば、代表的なものを挙げると、次のように構成したものである。なお、下記本考案において、各符号は後述する実施形態との対応関係を分かりやすくするために一例として示したものであり、本考案の各構成要素は、実施形態に記載した符号に係る構成に限定されないことは言うまでもない。
【０００８】
本考案に係る有用成分拡散具は、空気の吹出し口に固定するための着脱自在の取付け手段２と、前記取付け手段２に立設された軸部３と、前記軸部３に回転自在に取り付けられた風車部４とを有し、
前記風車部４が有効成分として芳香成分を練り込んだ合成樹脂で構成してあることを特徴とする。
本考案であれば、風車部が芳香成分を練り込んだ合成樹脂で構成してあるので、液漏れ等の不具合が生じにくく、芳香成分を発する物として安定させることができる。
また、風車部が吹出し口から流れる風によって回転することによって芳香成分を広く拡散することができる。ここで、芳香成分を練り込んだ合成樹脂は回転するので動かない構成に比べて芳香成分の拡散が良くなるとともに、風車が回転することで風車の特定部分のみ風が当たることはないので、長期間に亘って合成樹脂に練り込んだ芳香成分の拡散性を高く維持できる。
また、風車部の形は風によって回転するものならば、どのような形状でも採用することができるともに、合成樹脂であるから色も自由に付けることができる。したがって、デザイン性を高くできる。
なお、本明細書において、「風車部」とは風を受けて回転する物体を言い、その形状及び構成には限定されない。また、風車部は回転することによって、人の注目を引き、見た目の楽しさ（遊び心）を高くすることができる。
【０００９】
上記本考案において、前記取付け手段２を自動車エアコンの吹出し口に取付け自在な取付け手段２として構成することで自動車エアコンの芳香成分拡散具として機能させることもできる。
この構成であれば、芳香成分の拡散を長期間に亘って均一化できるとともに車室の人に対してデザイン性、見た目の楽しさ（遊び心）を向上させることができる。
【００１０】
上記本考案において、前記風車部４を第１花びら部６に構成するとともに、前記取付け手段２側から立設された前記軸部３の先端に花芯部７を取付け、前記花芯部７は前記第１花びら部６の脱落を防止する止め具として機能するとともに、
前記花芯部７は、前記第１花びら部６とは異なる芳香成分を練り込んだ合成樹脂で構成することもできる。
この構成であれば、第１花びら部の風車部が吹出し風によって回転するので、見た目の楽しさとデザイン性を高くできる。また、花芯部は第１花びら部の脱落を防止するとともに、花びら形の風車部とは異なる芳香成分を練り込んだ合成樹脂で構成してあるので、少なくとも２つの芳香性を備えて、香りに奥深さを感じさせることができる。
【００１１】
本考案において、前記第１花びら部６と前記花芯部７に加えて第２花びら部９を備え、前記第２花びら部９の合成樹脂には、前記第１花びら部６と前記花芯部７のそれぞれの合成樹脂に練り込まれた芳香成分とは異なる芳香成分を含ませることもできる。
この構成であれば、第１花びら部、第２花びら部及び花芯部の３個の花の構成要素を備えているので、見た目にも花らしく構成することができる。さらに、３つの芳香性を備えて、香りに奥深さを感じさせることができる。
本考案において、前記第１花びら部６と前記花芯部７に加えて第２花びら部９を備え、前記花芯部７に前記第２花びら部９を固定し、前記第１花びら部６と前記第２花びら部９の間で前記第１花びら部６が回転するように構成することもできる。
この構成であれば、第１花びら部の回転を円滑に行えるとともに、第２花びら部を第１花びら部と花芯部の間に設ける構成を簡単化できる。
【００１２】
上記本考案に係る有用成分拡散具は、対象物に取付けるための着脱自在の取付け手段２と、前記取付け手段２に付設されて前記対象物の状態又は動きに応じて動く可動部１４とを有し、
前記可動部１４は前記取付け手段２から立設された軸部３回りにおいて少なくとも回動できるように構成され、
前記可動部１４は有効成分として芳香成分を練り込んだ合成樹脂と虫除け成分を練り込んだ合成樹脂の２つの合成樹脂の少なくとも一方で構成することもできる。
可動部は軸部回りの回動（揺動）のみならず、回転するように構成されても良い。
この構成であれば、対象物の状態又は動きに応じて可動部が動くことにより、可動部から芳香成分、虫除け成分の少なくとも一方を拡散することができる。
また、可動部が芳香成分、虫除け成分の少なくとも一方を練り込んだ合成樹脂で構成してあるので、可動部が動くことによる見た目の楽しさと芳香成分、虫除け成分を拡散できる機能を発揮できる。
【００１３】
上記本考案において、前記対象物を、衣服、帽子、バッグなどの人体関係物と首輪などの動物関係物のどちらか一方の関係物で構成することもできる。
この構成であれば、人間の動きに従って可動部が動くことによって、芳香成分、虫除け成分を身体の回りに拡散させることができ、好ましい機能を人間の周囲に供給することができる。また、犬等のペット動物など動物の動きによって可動部が動くことになり、芳香成分、虫除け成分を動物の回りに拡散させることができ、好ましい機能を周囲に供給することができる。
上記本考案において、前記軸部３に固定される固定部１５を備え、前記可動部１４を芳香成分、虫除け成分の一方を練り込んだ合成樹脂で構成し、前記固定部１５を芳香成分、虫除け成分の他方を練り込んだ合成樹脂で構成することもできる。
この構成であれば、芳香成分、虫除け成分の両方を拡散できる有用成分拡散具を提供できる。
【考案の効果】
【００１４】
以上説明したように、本考案であれば、芳香成分の拡散を長期間に亘って均一化できるとともにデザイン性、見た目の楽しさを向上させることができる車用の芳香成分拡散具を提供できる。また、人体、物又は動物に対して芳香成分、虫除け成分の拡散を行えるとともに、デザイン性、見た目の楽しさを向上させることができる有用成分拡散具を提供できる。
【図面の簡単な説明】
【００１５】
【図１】（ａ）は本考案の第１実施形態を示す有用成分拡散具の正面図、（ｂ）はその側面図である。
【図２】第１実施形態に係る有用成分拡散具の分解構成図であり、（ａ）は花芯部をクリップとは反対側から見た図、（ｂ）は花芯部をクリップ側から見た図、（ｃ）は第２花びら部をクリップとは反対側から見た図、（ｄ）は第１花びら部をクリップとは反対側から見た図、（ｅ）はクリップを側面から見た図である。
【図３】（ａ）は第２実施形態を説明する有用成分拡散具の正面図、（ｂ）はその側面図である。
【図４】（ａ）〜（ｅ）は全て第２実施形態に係る有用成分拡散具の分解側面図であり、（ａ）は花芯部を示した図、（ｂ）は第２花びら部を示した図、（ｃ）は第１花びら部を示した図、（ｅ）はクリップを示した図である。
【図５】（ａ）は、第３実施形態を説明する有用成分拡散具の正面図、（ｂ）は取付け部としてのクリップの斜視図である。
【考案を実施するための形態】
【００１６】
以下、本考案の実施の形態を図面に基づき説明する。
［第１実施形態］
図１及び図２に示すように、第１実施形態に係る有用成分拡散具１は、芳香成分を拡散させるために自動車エアコンの吹出し口（図示せず）に取付け自在な構成としている。
図２に示すように、有用成分拡散具１は、空気の吹出し口に固定するための取付け手段２としてのクリップ２ａと、クリップ２ａから立設された軸部３と、軸部３の回りを回転する風車部４とを有している。取付け手段２は着脱自在の固定具で構成される。
【００１７】
この実施形態では、風車部４は、軸部３に遊嵌される円環部５と、その円環部５から半径方向に突設された大径の第１花びら部６とを有している。軸部３の先端には花芯部７が固定されている。
第１花びら部６の個々の花びらは全て、少なくとも後方（クリップ２ａ側）からの送風２５（図１（ｂ）参照）に対して同一方向に回転力を与える方向に傾斜しており、所謂、風車のような作用によって、第１花びら部６は軸部３回りに回転できるように構成してある。なお、図１（ａ）の符号２６は回転の方向の一例である。
後方のみならず、前方からの送風においても第１花びら部６は回転するようにしてもよい。
【００１８】
第１花びら部６は合成樹脂で構成され、その合成樹脂には良い香りを生じる芳香成分が練り込まれている。合成樹脂に芳香成分を練り込む方法としては、公知の方法が採用できる。例えば、芳香剤を含有するカプセルを合成樹脂に混入して継続的な芳香成分の拡散を行うようにすることもできる。
【００１９】
本実施形態は、上記第１花びら部６と花芯部７に加えて小径の第２花びら部９を有している。
第２花びら部９は第１花びら部６よりも小さい花びらを連ねた構成になっている。  また、第２花びら部９は、第１花びら部６、花芯部７の色とは異なった色に形成してある。
花芯部７と第２花びら部９はそれぞれ第１花びら部６とは異なる芳香成分を含ませてある。この３種類の芳香成分の組合せによって、奥深い香りを自動車の室内に拡散させることができる。
【００２０】
軸部３の軸芯方向において第２花びら部９は、花芯部７と第１花びら部６の間に設けられ、花芯部７に固定されている。この場合、第２花びら部９は花芯部９を一体化した後、軸部３に取り付けるように構成してもよい。
そのために、図２（ｂ）に示すように、花芯部７の裏面には一対の係合切欠部１８と止め孔１７が形成してある。
図２（ｃ）に示すように、第２花びら部９の中心には円環部を構成するために円形の開口２２が設けられ、その開口２２の内側に向けて一対の係合凸起１９が突設してある。
図２（ｅ）に示すように、クリップ２ａには軸部３が突設され、その軸部３の先端部には円周に溝１５を有する嵌入部１６が設けられ、その嵌入部１６は花芯部７に設けられた止め孔１７（図２（ｂ）参照）と嵌合して、クリップ２ａ側から第１花びら部６、第２花びら部９を保持して、軸部３から抜け落ちないように構成してある。
【００２１】
第２花びら部９は花芯部７との嵌合構造によって花芯部７に固定することもできる。例えば、花芯部７の係合切欠部１８と第２花びら部９の係合凸部１９とを嵌合させることによって固定することである。逆に花芯部７に係合凸部１９を設け、第２花びら部９に係合切欠部１８を設けるようにしてもよい。
さらに、第１花びら部６の中心には軸部３が通る軸孔２０が設けられている。また、第１花びら部６の軸孔２０回りには回転を円滑にするための環状突起２１が両面に設けられている。
【００２２】
図１（ｂ）に示すように、クリップ２ａは平面視（図１で上下方向に相当）で矩形の上片１０と、底面視で矩形の下片１１と、上辺１０と下片１１とを繋げる基台片１２とから構成してある。下片１１の内側面には小さい凹凸面１３が形成され、上片１０、下片１１及び基台片１２が有する合成樹脂の弾性によって上片１０と下片１１でエアコンの桟を挟み込み、有用成分拡散具１を自動車エアコンの吹出し口に固定できるように構成してある。
但し、取付け手段２は上記クリップ２ａの構成に限定されるものでなく、各種の取付け具の構成を採用できる。
【００２３】
［第２実施形態］
図３（ａ）はこの考案の第２実施形態を説明する有用成分拡散具の正面図、図３（ｂ）はその側面図である。図４（ａ）〜（ｄ）はその分解図である。
第２実施形態においても第１実施形態と同じ機能を有する部材には同一の符号を付してその説明を省略する。
第２実施形態は、牡丹形の花びらを模して風車部４を形成したことを特徴とする。
具体的には、第１花びら部６の個々の花びらは全て牡丹の花びら形に形成してあり、少なくとも後方からの送風２５に対して同一方向に回転力を与える方向に傾斜しており、所謂、風車のような作用によって軸部３回りに回転できるように構成してある。
第２花びら部９は花芯部７とともに軸部３に固定される構成は第１実施形態と同じである。
【００２４】
また、第１花びら部６、第２花びら部９、花芯部７のそれぞれが異なる芳香成分を備えるように構成することもできるし、２種類、１種類の芳香成分を備えるように構成することもできる。さらに、この第２実施形態における花芯部７は中心部における牡丹の小さい花びらを備えた花芯部７としてある。但し、第１花びら部６、第２花びら部９、花芯部７の色は牡丹の色を連想させる色系統に統一している。
この第２実施形態であれば、華やかな牡丹形に形成された第１花びら部６、第２花びら部９及び花芯部７を有しているので、自動車エアコンの吹出し口に取付けた場合でも、好ましい香りと華やかさを見る者に与えることができる。
【００２５】
［第３実施形態］
図５（ａ）は、この考案の第３実施形態を説明する有用成分拡散具の正面図、図５（ｂ）は取付け手段としてのクリップの斜視図である。
第３実施形態においても第１実施形態と同じ機能を有する部材には同一の符号を付してその説明を省略する。
この第３実施形態の特徴は、対象物に取付けるための取付け手段２としてのクリップ２ａと、前記クリップ２ａに付設されて対象物の状態又は動きに応じて動く可動部１４としての第１花びら部６を有している点にある。
【００２６】
この実施形態のクリップ２ａは外観的に見たときに印象が良いように、ネクタイピンのようにデザイン的に優れたものとされている。また、クリップ２ａの上片１０と下片１１の延びる方向は軸部３の軸芯方向と略直交する方向に延びていることを特徴としている。
この第１花びら部６の構成は、基本的には第１実施形態の構成と同じで、クリップ２ａから立設された軸部３に遊嵌されている状態で、回転又は回動ができる構成になっている。
【００２７】
また、第１花びら部６には有効成分として芳香成分を練り込んだ合成樹脂や虫除け成分を練り込んだ合成樹脂で構成する。
このように構成することで、衣服、帽子などの身体に装着する部材や鞄などの人間関係物や、首輪などの動物関係物に芳香成分や虫除け成分を機能させることができる。
この場合、固定部１５としての花芯部７，第２花びら部９に芳香成分を含ませ、可動部１４としての第１花びら部６に虫除け成分を含ませる形態も採用できる。又、逆に固定部１５としての花芯部７，第２花びら部９に虫除け成分を含ませ、可動部１４としての第１花びら部６に芳香成分を含ませる形態も採用できる。即ち、可動部１４を芳香成分、虫除け成分の一方を練り込んだ合成樹脂で構成し、固定部１５を芳香成分、虫除け成分の他方を練り込んだ合成樹脂で構成することもできるのである。
クリップ２ａはこの実施形態に示したもののみならず、衣服、帽子、鞄、首輪などの物において対象物に対応した各種の着脱自在の取付け具が採用できる。
【００２８】
この実施形態であれば、人間や動物の動きや、対象物の動きに応じて第１花びら部６が回動（揺動）し、又は吹き付ける風によって回転することによって、上記芳香機能や虫除け機能を効果的に発揮することができる。
この実施形態であれば、芳香剤を入れた容器や虫除け器を身体や鞄、首輪等から吊り下げるという見苦しい形でなく、ファッション性、デザイン性のある有用成分拡散具を構成することができる。
【００２９】
本考案は上記実施形態以外にも本考案の要旨を変更しない範囲で種々の変形を行うことが可能である。
（１）前記実施形態では風車部及び可動部を花びらを想起するもので構成した例を示めしたが、風車の形をしたものや五芒星、六芒星、七芒星のような幾何学的な形状で回転又は回動するもの、動物の形をして回転又は回動するもの等、各種の形状が採用できる。
（２）前記実施形態では風車部４を取付け手段２に取り付ける方法として、取付け手段２に立設された軸部３を採用したが、軸部３の形状は各種の構成が採用できることは明らかである。
【符号の説明】
【００３０】
１…有用成分拡散具
２…取付け手段
２ａ…クリップ
３…軸部
４…風車部
６…第１花びら部
７…花芯部
９…第２花びら部
１４…可動部
１５…固定部
【図１】
0003183685.tif 000003
【図２】
0003183685.tif 000004
【図３】
0003183685.tif 000005
【図４】
0003183685.tif 000006
【図５】
0003183685.tif 000007